(57)【要約】【課題】印刷基板組み立て体を安定的に設置するためのフレームブラケット及び、それを具備したプラズマディスプレイ装置を提供する。【解決手段】本発明に係る印刷基板組み立て体用のフレームブラケット３２は、印刷基板組み立て体３３の底面に接触する壁体を具備した１対の長辺部３４と、長辺部３４に直角に延び、印刷基板組み立て体３３の底面に対して間隙を形成する１対の短辺部３５と、長辺部３４と短辺部３５との間の角部に形成されて、シャーシベース３１に固定されたスタッド４２がその中に挿入されるスタッド溝４２と、シャーシベース３１に形成された挿入部４１に挿入されるように、長辺部３４または短辺部３５の外側底面から突出した突出部４０と、を具備する。【選択図】  図３
2006126786.tif 000002
【特許請求の範囲】
【請求項１】
印刷基板組み立て体の底面に接触する壁体を具備した１対の長辺部と、
前記長辺部に直角に延び、印刷基板組み立て体の底面に対して間隙を形成する１対の短辺部と、
前記長辺部と短辺部との間の角部に形成されて、シャーシベースに固定されたスタッドがその中に挿入されるスタッド溝と、
シャーシベースに形成された挿入部に挿入されるように、前記長辺部または前記短辺部の外側底面から突出した突出部と、を具備する印刷基板組み立て体用のフレームブラケット。
【請求項２】
前記印刷基板組み立て体の上部表面に掛かるように、前記長辺部または前記短辺部から上方に延設されたフックをさらに具備することを特徴とする請求項１に記載の印刷基板組み立て体用のフレームブラケット。
【請求項３】
前記スタッド溝は、一側が開放され、かつ前記スタッドの円筒形の外表面に対応する湾曲した内表面を持つ開放型スタッド溝及び、前記スタッドの円筒形の外表面に対応する湾曲した内表面で形成された両端部と、前記両端部の間に延びた平面とを持つ閉鎖型スタッド溝を具備することを特徴とする請求項１に記載の印刷基板組み立て体用のフレームブラケット。
【請求項４】
前記長辺部には、前記印刷基板組み立て体が前記フレームブラケットに組み立てられるときに、前記印刷基板組み立て体の側面に接触して案内するためのガイドが形成されたことを特徴とする請求項１に記載の印刷基板組み立て体用のフレームブラケット。
【請求項５】
前記短辺部には、前記印刷基板組み立て体の底面に接触することによって、前記印刷基板組み立て体を支持するための支持部が形成されたことを特徴とする請求項１に記載の印刷基板組み立て体用のフレームブラケット。
【請求項６】
前記シャーシベースに形成された挿入部は、シャーシベースの一部を切り込んで切開部を形成し、前記切開部から押し上げたシャーシベース部材の一部を塑性変形させることによって形成された湾曲成形部を具備することを特徴とする請求項１に記載の印刷基板組み立て体用のフレームブラケット。
【請求項７】
前面基板と背面基板となるパネルと、
前記パネルの背面で、接着テープにより付着されたシャーシベースと、
印刷基板組み立て体の底面に接触する壁体を具備した１対の長辺部、前記長辺部に直角に延び、印刷基板組み立て体の底面に対して間隙を形成する１対の短辺部、前記長辺部と短辺部との間の角部に形成され、シャーシベースに固定されたスタッドがその中に挿入されるスタッド溝、及び前記シャーシベースに形成された挿入部に挿入されるように、前記長辺部または前記短辺部の外側底面から突出した突出部を具備するフレームブラケットと、
前記フレームブラケットに設置される印刷基板組み立て体と、を具備するプラズマディスプレイ装置。
【発明の詳細な説明】
【技術分野】
【０００１】
本発明は、フレームブラケットを具備した印刷基板組み立て体及び、それを具備したプラズマディスプレイ装置に係り、より詳細には、シャーシベースに印刷基板組み立て体を設置するためのフレームブラケット及び、それを具備したプラズマディスプレイ装置に関する。
【背景技術】
【０００２】
プラズマディスプレイ装置は、ガス放電現象を利用して画像を表示する平板ディスプレイ装置であり、表示容量、輝度、コントラスト、残像及び視野角などの各種表示能力が優秀であり、薄型かつ大画面表示が可能であって、陰極線管（Ｃａｔｈｏｄｅ  Ｒａｙ  Ｔｕｂｅ：ＣＲＴ）を代替できる次世代大型平板ディスプレイ装置として脚光を浴びている。プラズマディスプレイ装置には、ガラス基板で構成されたプラズマディスプレイパネル（Ｐｌａｓｍａ  Ｄｉｓｐｌａｙ  Ｐａｎｅｌ：ＰＤＰ）及び、前記パネルを支持するためのシャーシベースが備えられている。
【０００３】
図１は、通常的なプラズマディスプレイ装置の一部についての概略的な斜視図である。
【０００４】
図面を参照すれば、ＰＤＰは、前面基板１１と背面基板１２とを具備し、前記背面基板１２の背面には、放熱用シート１４が付着されている。ＰＤＰは、通常、アルミニウムのような金属材料で製作されたシャーシベース１７によって支持される。ＰＤＰは、両面テープ１３を利用してシャーシベース１７の前面に付着される。図面に示すように、両面テープ１３は、放熱用シート１４に対応する部分を回避しつつ横及び縦方向に延びる。シャーシベース１７の背面には印刷基板組み立て体１９が設置されるが、印刷基板組み立て体１９は、スタッド１６によって、シャーシベース１７の平面から離隔されて支持される。印刷基板組み立て体１９上には、多様な電子部品１８が備えられる。
【０００５】
図面中の符号１５で表示されるものは、前面基板１１または背面基板１２に備えられた電極と、基板１２に備えられた接続端子とを連結する信号伝達ケーブルであり、テープキャリアパッケージ（Ｔａｐｅ  Ｃａｒｒｉｅｒ  Ｐａｃｋａｇｅ；ＴＣＰ）が使用される。信号伝達ケーブル１５には、信号駆動用集積回路チップ２０が設置される。前記信号伝達ケーブル１５は、バッファ用印刷基板組み立て体１９ａ、１９ｂに備えられたコネクタ２１に連結される。図１に図示された各部分は、図面に図示されていないケース部材の内部空間に設置される。信号伝達ケーブル１５は、固定部１６の上部を過ぎて、バッファ用印刷基板組み立て体１９ｂに備えられたコネクタ２１に連結される。
【０００６】
図２は、図１の印刷基板組み立て体１９がシャーシベース１７に設置されるところを概略的に示す断面図である。
【０００７】
図面を参照すれば、メインシャーシ１７に形成された孔にスタッド２３が固定され、スタッド２３の上部表面に印刷基板組み立て体１９が支持されている。印刷基板組み立て体１９に形成された孔を通じて挿入されたネジ２２が、スタッド２３に形成されたネジ溝に締結されることによって、印刷基板組み立て体１９が固定される。
【０００８】
前述したような印刷基板組み立て体１９の固定方式は、複数のスタッド２３及びネジ２２を必要とするという点で、組み立てが容易でないという問題点があり、また、組み立ての安定性の面でも不利であるという問題点がある。また、スタッド及びネジを利用した締結方式では、装置で発生する音響の反射による振動やノイズを吸収し難いという問題点がある。
【発明の開示】
【発明が解決しようとする課題】
【０００９】
本発明は、前記のような問題点を鑑みてなされたものであり、本発明の目的は、印刷基板組み立て体を安定的に設置するためのフレームブラケットを提供することである。
【００１０】
本発明の他の目的は、フレームブラケットを利用して印刷基板組み立て体を固定させたプラズマディスプレイ装置を提供することである。
【課題を解決するための手段】
【００１１】
前記の目的を達成するために、本発明によれば、印刷基板組み立て体の底面に接触する壁体を具備した１対の長辺部と、前記長辺部に直角に延び、印刷基板組み立て体の底面に対して間隙を形成する１対の短辺部と、前記長辺部と短辺部との間の角部に形成されて、シャーシベースに固定されたスタッドがその中に挿入されるスタッド溝と、シャーシベースに形成された挿入部に挿入されるように、前記長辺部または前記短辺部の外側底面から突出した突出部と、を具備する印刷基板組み立て体用のフレームブラケットが提供される。
【００１２】
本発明の一特徴によれば、前記印刷基板組み立て体の上部表面に掛かるように、前記長辺部または前記短辺部から上方に延設されたフックをさらに具備する。
【００１３】
本発明の他の特徴によれば、前記スタッド溝は、一側が開放され、かつ前記スタッドの円筒形の外表面に対応する湾曲した内表面を持つ開放型スタッド溝及び、前記スタッドの円筒形の外表面に対応する湾曲した内表面で形成された両端部と、前記両端部の間に延びた平面とを持つ閉鎖型スタッド溝を具備する。
【００１４】
本発明の他の特徴によれば、前記長辺部には、前記印刷基板組み立て体が前記フレームブラケットに組み立てられるときに、前記印刷基板組み立て体の側面に接触して案内するためのガイドが形成される。
【００１５】
本発明の他の特徴によれば、前記短辺部には、前記印刷基板組み立て体の底面に接触することによって、前記印刷基板組み立て体を支持するための支持部が形成される。
【００１６】
本発明の他の特徴によれば、前記シャーシベースに形成された挿入部は、シャーシベースの一部を切開して切開部を形成し、前記切開部から押し上げたシャーシベース部材の一部を塑性変形させることによって形成された湾曲成形部を具備する。
【００１７】
また、本発明によれば、前面基板と背面基板となるパネルと、前記パネルの背面で、接着テープにより付着されたシャーシベースと、印刷基板組み立て体の底面に接触する壁体を具備した１対の長辺部、前記長辺部に直角に延び、印刷基板組み立て体の底面に対して間隙を形成する１対の短辺部、前記長辺部と短辺部との間の角部に形成され、シャーシベースに固定されたスタッドがその中に挿入されるスタッド溝、及び前記シャーシベースに形成された挿入部に挿入されるように、前記長辺部または前記短辺部の外側底面から突出した突出部を具備するフレームブラケットと、前記フレームブラケットに設置される印刷基板組み立て体と、を具備するプラズマディスプレイ装置が提供される。
【発明の効果】
【００１８】
本発明に係る印刷基板組み立て体用のフレームブラケット及び、それを具備したプラズマディスプレイ装置は、印刷基板組み立て体をシャーシベースに安定的に設置させ、固定に必要なスタッドとネジの数を低減させることによって組み立てを容易にする。また、フレームブラケットに形成された通気口を通じた空気の循環により、過熱の可能性が排除され、フレームブラケット自体の構造によって、音響反射による振動及び、ノイズが防止できる。
【発明を実施するための最良の形態】
【００１９】
以下、本発明を図面に図示された実施形態を参考してさらに詳細に説明する。
【００２０】
本発明に係るプラズマディスプレイ装置は、図１を参照して説明されたプラズマディスプレイ装置と類似した構造を持つ。本発明に係るプラズマディスプレイ装置は、前面基板１１及び背面基板１２を具備するＰＤＰと、前記ＰＤＰの背面に配置されるシャーシベース３１と、前記ＰＤＰと前記シャーシベース３１とを相互に接着させる両面テープ１３と、前記ＰＤＰと前記シャーシベース３１との間に配置された放熱用シート１４と、前記シャーシベース３１の背面に設置されるスタッド４２及び、印刷基板組み立て体３３と、前記前面基板１１及び背面基板１２に形成された電極と前記印刷基板組み立て体３３のうち一つに連結される信号伝達ケーブル１５と、を具備する。
【００２１】
図３は、本発明に係るフレームブラケットを利用して印刷基板組み立て体を固定させたところを示す概略的な分解斜視図である。
【００２２】
図面を参照すれば、シャーシベース３１の上部表面に、本発明に係るフレームブラケット３２が固定され、フレームブラケット３２の上部に、印刷基板組み立て体３３が設置される。
【００２３】
フレームブラケット３２は、全体的に印刷基板組み立て体３３のエッジに沿って延びる１対の長辺部３４及び１対の短辺部３５を具備する。もちろん、印刷基板組み立て体３３が正四角形または他の形状を持つならば、前記長辺部３４及び短辺部３５がそれに対応して変形できる。長辺部３４は、図面に示すように、１対の平行に延びる壁体３４ａを具備し、前記壁体３４ａの上部平面に、前記印刷基板組み立て体３３の底部表面が接触して支持される。一方、短辺部３５は、一体型に形成された壁体３５ａを具備する。印刷基板組み立て体３３がフレームブラケット３２に組み立てられたとき、前記短辺部３５の壁体３５ａの上部表面は、印刷基板組み立て体３３の底部表面から離隔される。すなわち、短辺部３５の高さＨ１は、長辺部３４の高さＨ２より小さい。したがって、壁体３５ａと印刷基板組み立て体３３との間には間隙が形成され、その間隙は、熱を放出する通路になりうる。
【００２４】
長辺部３４及び短辺部３５には、一つ以上のフック３８が形成される。フック３８は、フレームブラケット３２の上部表面に印刷基板組み立て体３３が支持されたとき、印刷基板組み立て体３３の上部表面に掛って、それを固定させる役割を果たす。フック３８は、長辺部３４または短辺部３５と一体に形成できる。
【００２５】
一方、長辺部３４には、ガイド３９が形成されている。ガイド３９は、印刷基板組み立て体３３が壁体３４ａの上部表面に支持されるとき、印刷基板組み立て体３３の側部表面を案内できるように形成されるものである。ガイド３９は、長辺部３４に備えられた１対の壁体３４ａのうち、外側の壁体の側面に一体に形成できる。
【００２６】
短辺部３５には、支持部４８を形成できる。支持部４８の上部表面は、印刷基板組み立て体３３の底部表面に接触して、印刷基板組み立て体３３を支持できる。すなわち、短辺部３５の一部に支持部４８を形成することにより、短辺部３５の上部表面と印刷基板組み立て体３３の底部表面との間に形成される間隙のために発生する支持力の弱化を防止できる。
【００２７】
長辺部３４と短辺部３５とが互いに連結される角部には、開放型スタッド溝３６及び閉鎖型スタッド溝３７がそれぞれ形成できる。開放型スタッド溝３６は、一側が開放された状態に形成された湾曲面を持ち、前記湾曲面は、スタッド４２の円筒形外周面に対応する。スタッド４２は、前記スタッド溝３６に挿入でき、スタッド４２の外周面は、開放型スタッド溝３６の内周面と接触する。閉鎖型スタッド溝３７にスタッド４２が挿入されたとき、スタッド４２の外周面は、閉鎖型スタッド溝３７の内周面と接触する。閉鎖型スタッド溝３７は、両端部に形成された湾曲面と、その間に延びる平面とを具備する。閉鎖型スタッド溝３７の両端部に形成された湾曲面は、スタッド４２の円筒形の外周面に対応するように形成される。閉鎖型スタッド溝３７は、シャーシベース３１に固定されたスタッド４２の位置によって、スタッド４２が閉鎖型スタッド溝３７の長手方向に沿って移動して配置されることが可能である。開放型スタッド溝３６及び閉鎖型スタッド溝３７の上部表面は、印刷基板組み立て体３３の底部表面と接触される。
【００２８】
図面に図示された例では、長辺部３４の壁体３４ａの外側底面から、突出部４０が形成される。突出部４０は、壁体３４ａの外側に所定距離ほど突出される。前記突出部４０が、シャーシベース３１に形成された挿入部４１の内側に挿入されることによって、フレームブラケット３２がシャーシベース３１に掛かって係止される。
【００２９】
図４は、図３に図示された挿入部を拡大して示した斜視図である。
【００３０】
図面を参照すれば、シャーシベース３１の一部を切り込んで切開部３１ａを形成し、前記切開部３１ａから押し上げたシャーシベース部材の一部を塑性変形させることによって、湾曲成形部３１ｂを形成する。図３に図示された突出部４０は、前記湾曲成形部３１ｂが形成する挿入部４１中へ挿入されることによって、シャーシベース３１とフレームブラケット３２との係止構造を具現できる。
【００３１】
また、図３を参照すれば、スタッド４２は、シャーシベース３１上に固定され、前記スタッド４２は、開放型スタッド溝３６または閉鎖型スタッド溝３７に挿入され、前記スタッド４２の上部表面は、スタッド溝３６、３７の上部表面と共に印刷基板組み立て体３３の底部表面と接触する。ネジ４６は、印刷基板組み立て体３３の上部表面から通孔４５を通じて挿入されて、スタッド４２に形成されたネジ溝４１ａに締結されることによって、印刷基板組み立て体３３が固定される。
【００３２】
図５は、フレームブラケットが印刷基板組み立て体と組み立てられたところを短辺部方向から観察した側面図である。
【００３３】
図面を参照すれば、印刷基板組み立て体３３は、開放型スタッド溝３６及び閉鎖型スタッド溝３７の上部表面に支持されており、また、短辺部３５に一体に形成された支持部（図３の符号３５）によって支持される。印刷基板組み立て体３３の底面と短辺部３５との間には通気口５０が形成されるが、これは、短辺部３５の高さＨ１がスタッド溝３６、３７の高さＨ２より小さいからである。前記通気口５０を通じて流入及び流出される空気は、印刷基板組み立て体３３、シャーシベース３１及び、フレームブラケット３２により形成される空間の過熱を防止できる。
【００３４】
図６は、短辺部に形成されたフックと支持部の形状を概略的に示す断面図である。
【００３５】
図面を参照すれば、フック３８は、印刷基板組み立て体３３の上部表面に掛かるように形成され、支持部４８は、その上部表面が印刷基板組み立て体３３の底部表面と接触するように形成される。したがって、印刷基板組み立て体３３の端部は、フック３８及び支持部４８により所定の固定力を受ける。
【００３６】
前記図３ないし図６に示すように、印刷基板組み立て体３３が、フレームブラケット３２を通じてシャーシベース３１に組み立てられることが理解できる。フレームブラケット３２は、突出部４０が挿入部４１に挿入されることによってシャーシベース３１に装着され、このとき、シャーシベース３１上に固定されたスタッド４２は、開放型スタッド溝３６及び閉鎖型スタッド溝３７に挿入される。印刷基板組み立て体３３は、ガイド３９に案内されてフレームブラケット３２に結合される。このとき、長辺部３４の壁体３４ａの上部表面、開放型スタッド溝３６及び閉鎖型スタッド溝３７の上部表面、スタッド４２の上部表面及び、支持部４８の上部表面が、印刷基板組み立て体３３の底部表面を接触して支持する。また、フック３８が、印刷基板組み立て体３３の上部表面に掛かって印刷基板組み立て体３３を固定させる役割を行う。ネジ４６は、印刷基板組み立て体３３の通孔４５を通じて、スタッド４２に締結されることによって固定される。
【００３７】
本発明は、図面に図示された実施形態を参考として説明されたが、これは例示的なものに過ぎず、当業者ならば、これより多様な変形及び均等な他の実施形態が可能であるという点を理解できる。したがって、本発明の真の保護範囲は、特許請求範囲の技術的思想によって定められねばならない。
【産業上の利用可能性】
【００３８】
本発明は、フレームブラケットを具備した印刷基板組み立て体及び、それを具備したプラズマディスプレイ装置の技術分野に好適に用いられる。
【図面の簡単な説明】
【００３９】
【図１】通常的なプラズマディスプレイ装置の一部についての概略的な斜視図である。
【図２】通常的な印刷基板組み立て体の組み立て構造を示す概略的な断面図である。
【図３】本発明に係るフレームブラケットを具備した印刷基板組み立て体の分解斜視図である。
【図４】図３に図示された印刷基板組み立て体を設置するためのメインシャーシの一部を拡大図示した斜視図である。
【図５】本発明に係るフレームブラケットを具備した印刷基板組み立て体の側面図である。
【図６】本発明に係るフレームブラケットのフック及び支持部構造を概略的に示す断面図である。
【符号の説明】
【００４０】
３１    シャーシベース、
３２    フレームブラケット、
３３    印刷基板組み立て体、
３４    長辺部、
３４ａ    壁体、
３５    短辺部、
３５ａ    壁体、
３６    開放型スタッド溝、
３７    閉鎖型スタッド溝、
３８    フック、
３９    ガイド、
４０    突出部、
４１    挿入部、
４１ａ    ネジ溝、
４２    スタッド、
４５    通孔、
４６    ネジ、
４８    支持部、
Ｈ１    短辺部の高さ、
Ｈ２    長辺部の高さ。
【図１】
2006126786.tif 000003
【図２】
2006126786.tif 000004
【図３】
2006126786.tif 000005
【図４】
2006126786.tif 000006
【図５】
2006126786.tif 000007
【図６】
2006126786.tif 000008